(57)【要約】【課題】安価に製造できる保護カバーを提供すること。【解決手段】絶縁性を有するシート状のブランク２を折り曲げて形成される保護カバー１は、背壁１１と、背壁１１と一体に設けられた天壁１３と、背壁１１と一体に設けられた一対の側壁１２と、電気機器１００に設けられた先端が中途部より大きい一対の突起１２０が挿入される切欠部１４ｂがそれぞれ設けられた、天壁１３及び一対の側壁１２の一方と一体に設けられ、天壁１３及び一対の側壁１２の他方と係合する一対の前壁１４と、を備える。【選択図】      図１
2019078583.tif 000002
【特許請求の範囲】
【請求項１】
絶縁性を有するシート状のブランクを折り曲げて形成される保護カバーであって、
背壁と、
前記背壁と一体に設けられた天壁と、
前記背壁と一体に設けられた一対の側壁と、
電気機器に設けられた先端が中途部より大きい一対の突起が挿入される切欠部がそれぞれ設けられた、前記天壁及び前記一対の側壁の一方と一体に設けられ、前記天壁及び前記一対の側壁の他方と係合する一対の前壁と、
を備える保護カバー。
【請求項２】
前記天壁又は前記一対の側壁は第１突起部を有し、
前記前壁は、前記第１突起部と係合する第２突起部を有する、請求項１に記載の保護カバー。
【請求項３】
前記切欠部は、前記天壁に向かって延びるとともに、端部が前記側壁に向かって延び、
前記一対の切欠部は、前記天壁に向かって延びる部位の幅が前記一対の突起の幅よりも小さく構成される、請求項１に記載の保護カバー。
【請求項４】
前記ブランクは、トムソン型による打ち抜き加工で形成される、請求項１に記載の保護カバー。
【請求項５】
前記ブランクは、前記背壁、前記天壁、前記一対の側壁及び前記一対の前壁の間に、折り曲げ加工のための圧痕を有する請求項１に記載の保護カバー。
【請求項６】
前記一対の突起は、一対の端子である、請求項１乃至請求項５のいずれか一項に記載の保護カバー。
【請求項７】
前記電気機器は、電圧計、電流計、周波数計、開閉器、遮断器、スイッチ、端子台、インバータ又はモータである、請求項１乃至請求項６のいずれか一項に記載の保護カバー。
【発明の詳細な説明】
【技術分野】
【０００１】
本発明は、電気機器の端子を保護する保護カバーに関する。
【背景技術】
【０００２】
現在、制御盤等で用いられる回路遮断器等の電気機器において、外部に露出する端子等を保護する保護カバーを用いる構成が知られている（例えば、特許文献１乃至特許文献３参照）。
【０００３】
特許文献１には、樹脂製シートを熱成形させて保護カバーを形成する技術が開示されており、特許文献２には、保護カバーとして、円筒形コンデンサのケース開口部をゴムキャップで封止する技術が開示されている。また、特許文献３には、樹脂材料を成型することで保護カバーを形成する技術が開示されている。
【先行技術文献】
【特許文献】
【０００４】
【特許文献１】特開平０９−３０６５６７号公報
【特許文献２】特開平１０−３３５１８４号公報
【特許文献３】特開平１１−０９６８８０号公報
【発明の概要】
【発明が解決しようとする課題】
【０００５】
しかしながら、上述した保護カバーは、電気機器毎に設計される。このため、販売数量が少ない電気機器の場合、電気機器毎に設計し、そして製造すると、製造コストが高くなる。
【０００６】
そこで、安価に製造できる保護カバーを提供することを目的とする。
【課題を解決するための手段】
【０００７】
本発明の一態様によれば、絶縁性を有するシート状のブランクを折り曲げて形成される保護カバーであって、背壁と、前記背壁と一体に設けられた天壁と、前記背壁と一体に設けられた一対の側壁と、電気機器に設けられた先端が中途部より大きい一対の突起が挿入される切欠部がそれぞれ設けられた、前記天壁及び前記一対の側壁の一方と一体に設けられ、前記天壁及び前記一対の側壁の他方と係合する一対の前壁と、を備える。
【発明の効果】
【０００８】
本発明は、安価に製造できる保護カバーを提供することができる。
【図面の簡単な説明】
【０００９】
【図１】本発明の一実施形態に係る保護カバーの構成を示す斜視図。
【図２】同保護カバーの構成を示す正面図。
【図３】同保護カバーを展開して示す説明図。
【図４】同保護カバーの使用の一例を示す側面図。
【図５】同保護カバーの使用の一例を示す背面図。
【図６】同保護カバーの使用の一例を示す正面図。
【図７】同保護カバーが用いられる電気機器の一例を示す側面図。
【図８】同電気機器の一例を示す背面図。
【図９】同保護カバーの製造及び使用の一例を示す説明図。
【発明を実施するための形態】
【００１０】
以下、本発明の一実施形態に係る保護カバー１を、図１乃至図９を用いて説明する。  
図１及び図２は、本発明の一実施形態に係る保護カバー１の構成を斜視及び正面で示す図である。図３は、保護カバー１を展開したブランク２の構成を示す平面図である。図４乃至図６は、保護カバー１の使用の一例として、電気機器１００に取り付けた状態をそれぞれ側面、背面及び正面から示す図である。図７及び図８は、電気機器１００の一例を側面及び背面で示す図である。図９は、保護カバー１の製造及び使用の一例を示す説明図である。
【００１１】
図１及び４に示すように、保護カバー１は、電気機器１００に取り付けられ、電気機器１００に設けられた先端が中途部よりも軸方向に直交する方向に広がる突起に係合することで、電気機器１００の端子部１１１を覆うカバーである。先ず、図７及び図８を用いて電気機器１００を説明する。
【００１２】
電気機器１００は、制御盤等に用いられる回路遮断器等の電気機器である。電気機器１００は、例えば、電圧計、電流計、周波数計、開閉器、遮断器、スイッチ、端子台、インバータ及びモータ等の、充電部等の端子部１１１を備える機器である。図７及び図８に示すように、電気機器１００は、例えば、正面に表示部等が設けられるケース１１０と、ケース１１０の外面の一部に設けられた端子部１１１を有する。また、電気機器１００は、保護カバー１で端子部１１１が覆われるときに、端子部１１１に電気ケーブル１３０が接続される。
【００１３】
ケース１１０は、電気部品を収容可能に構成される。ケース１１０は、矩形状、円筒状等、電気部品を収容可能であれば種々の形状が適用できる。ケース１１０は、外面の一部、例えば背面に端子部１１１が設けられる。
【００１４】
端子部１１１は、ケース１１０の外面から突出する、所定の間隔を開けて離間する一対の端子１２０を有する。一対の端子１２０は、所定の間隔を開けてケース１１０に配置された突起である。一対の端子１２０は、例えば、電気機器１００が制御盤等に装着されたときに、水平方向に並ぶ。一対の端子１２０は、例えば、雄螺子部１２０ａ及び二つのナット等の雌螺子部１２０ｂ等により構成され、電気ケーブル１３０を固定可能に構成される。端子１２０は、雌螺子部１２０ｂによって先端が中途部である雄螺子部１２０ａよりも大きく構成される。
【００１５】
次に、電気機器１００の端子部１１１を覆う保護カバー１について図１乃至図７を用いて説明する。
【００１６】
保護カバー１は、絶縁性を有する樹脂材料又は紙材料で形成されたブランク２を折り曲げ加工によって形成され、下面側が開口する矩形箱状に構成される。具体例として、保護カバー１は、背壁１１と、背壁１１に一体に設けられた一対の側壁１２と、背壁１１に一体に設けられた天壁１３と、一対の側壁１２にそれぞれ一体に設けられた一対の前壁１４と、を備える。
【００１７】
背壁１１は、例えば、一方向が他方向よりも長い、図１中の互いに直交するＸ、Ｙ、Ｚ方向で説明すると、Ｘ方向がＺ方向よりも長い矩形状に形成される。背壁１１の長手方向の幅は、一方の端子１２０から他方の端子１２０迄の距離よりも大きく形成される。
【００１８】
側壁１２は、例えば、一方向が他方向よりも短い、図１中においてＹ方向がＺ方向よりも短い矩形状に形成される。側壁１２の短手方向の幅は、一対の端子１２０が設けられたケース１１０外面から一対の端子１２０の先端までの高さよりも大きく構成される。側壁１２は、長手方向に沿った一方の辺部が背壁１１の短手方向に沿った一方の辺部と一体に形成される。
【００１９】
天壁１３は、例えば、一方向が他方向よりも長い、図１中においてＸ方向がＹ方向よりも長い矩形状に形成される。天壁１３の長手方向の幅は、背壁１１の長手方向の幅と同じ幅に形成される。天壁１３は、長手方向に沿った二つの辺部の一方、即ち、短手方向の二つの辺部のうち一方が、背壁１１の長手方向に沿った一方の辺部と一体に形成される。
【００２０】
天壁１３は、短手方向の長さ方向が側壁１２の短手方向の長さよりも長く形成され、長手方向に沿った他方の辺部の中央側に、天壁１３の辺部から漸次幅が広がる、台形状の切欠部１３ａを有する。換言すると、天壁１３は、短手方向の長さ方向が側壁１２の短手方向の長さと同じ長さに形成され、長手方向に沿った他方の辺部の両端に一対形成され、先端が当該辺部の中央側に突出する台形状の第１突起部１３ｂを有する。
【００２１】
前壁１４は、例えば、一方が他方向よりも短い、図１中においてＸ方向がＸ方向よりも短い、一部が切欠された略矩形状に形成される。前壁１４は、短手方向の上部の辺部の先端に、上方に延び、第１突起部１３ｂと係合する第２突起部１４ａを有する。また、前壁１４は、前壁１４の長手方向に沿って下端から中途部まで延びるとともに、当該中途部から側壁１２側へと延びる略Ｌ字状の切欠部１４ｂを有する。
【００２２】
第２突起部１４ａは、前壁１４の上部の辺部から漸次幅が広がる台形状に形成される。第２突起部１４ａは、天壁１３の第１突起部１３ｂと係合することで、前壁１４を天壁１３に固定する。即ち、保護カバー１は、二面又は三面を係合させて箱状に一体に組み立てる構成であり、本実施形態においては、保護カバー１は、二つの前壁１４を天壁１３に固定させることで構成される。
【００２３】
切欠部１４ｂは、その延設方向の幅が、端子１２０の中途部である雄螺子部１２０ａが通過可能な幅に構成される。なお、切欠部１４ｂの幅は、端子１２０の先端である雌螺子部１２０ｂと同じであっても、雌螺子部１２０ｂよりも小さくてもどちらでもよい。
【００２４】
また、一対の前壁１４に設けられた一対の切欠部１４ｂ間の幅は、保護カバー１を組み立てたときに、天壁１３に向かって延びる部位において、一対の端子１２０の間の幅よりも若干小さい幅に構成される。より好ましくは、一対の切欠部１４ｂ間の幅は、保護カバー１を組み立てたときに、天壁１３に向かって延びる部位において、一対の端子１２０の中途部である雄螺子部１２０a間の幅よりも若干小さい幅に構成される。
【００２５】
また、一対の切欠部１４ｂ間の幅は、保護カバー１を組み立てたときに、側壁１２側へと延びる部位が、一対の端子１２０の幅以上の幅に構成される。即ち、一対の切欠部１４ｂは、組み立てられた保護カバー１において、天壁１３に向かう部位において、一対の端子１２０と干渉し、側壁１２に向かう部位において一対の端子１２０が配置可能に構成される。
【００２６】
次に、このような構成の保護カバー１のブランク２の説明を行う。ブランク２は、トムソン型を用いて、絶縁性を有する樹脂材料で構成されたシートを所定の形状で打ち抜くことで形成される。
【００２７】
ブランク２は、背壁１１に一対の側壁１２及び天壁１３が一体に形成されるとともに、一対の側壁１２にそれぞれ前壁１４が一体に形成される。また、ブランク２は、背壁１１と側壁１２との間、背壁１１と天壁１３との間、及び、側壁１２と前壁１４との間に、曲げ加工時の折り線を形成する圧痕２ａを有する。
【００２８】
次に、このように構成された保護カバー１の製造方法及び使用方法の一例について、図９を用いて説明する。
【００２９】
図９に示すように、先ず、樹脂材料で構成されたーシートを、トムソン型を用いて打ち抜き加工を行い、図３に示すような所定の形状のブランク２を形成する（ステップＳＴ１）。このとき、ブランク２に圧痕２ａを併せて形成する。圧痕２ａは、例えば、トムソン型に圧痕２ａの形状の突起を設ける等によって、打ち抜き加工時に形成する。
【００３０】
次に、ブランク２を、圧痕２ａに沿って折り曲げ加工を行う（ステップＳＴ２）。次に、折り曲げたブランク２を保護カバー１の形状に組み立てる（ステップＳＴ３）。具体的には、一対の側壁１２の第２突起部１４ａを、天壁１３の第１突起部１３ｂにそれぞれ係合させる。これにより、保護カバー１が形成される。
【００３１】
次に、保護カバー１を開口が電気機器１００の端子部１１１と対向側に向けるとともに、一対の前壁１４の切欠部１４ｂを一対の端子１２０と対向させる（ステップＳＴ４）。次に、一対の端子１２０を切欠部１４ｂの端部に当接するまで、保護カバー１を移動させて、一対の端子１２０を覆う（ステップＳＴ５）。
【００３２】
このとき、一対の前壁１４の切欠部１４ｂの幅は、一対の端子１２０の幅よりも小さく構成されていることから、端子１２０が通過するときに、一対の切欠部１４ｂが離間する方向に一対の前壁１４が端子１２０によって押圧されて一対の切欠部１４ｂが広がるように若干前壁１４が移動する。
【００３３】
これにより一対の端子１２０が一対の切欠部１４ｂを移動し、端子１２０が切欠部１４ｂを通過する。端子１２０が切欠部１４ｂの端部に移動すると、前壁１４が元の位置に移動し、一対の端子１２０が切欠部１４ｂの端部に位置する。このため、一対の端子１２０から保護カバー１が抜ける方向に移動した場合には、一対の端子１２０に切欠部１４ｂの曲折する部位が当接し、保護カバー１の移動が規制される。即ち、保護カバー１は、一対の端子１２０から離間する方向に移動するときに、切欠部１４ｂが一対の端子１２０に引っ掛かる。
【００３４】
このように構成された保護カバー１は、安価なトムソン型によってブランク２を形成し、そして、折り曲げ加工し、複数の面を係合させて箱状に形成する構成であることから、容易、且つ、安価に製造することができる。
【００３５】
また、保護カバー１は、端子１２０が配置される切欠部１４ｂをＬ字状とし、一対の端子１２０が一対の切欠部１４ｂに挿入するときに、保護カバー１を移動させる方向に延びる部位を端子１２０と切欠部１４ｂが設けられた前壁１４が干渉する構成とした。また、保護カバー１は、切欠部１４ｂの端部においては、当該端部の一対の切欠部１４ｂの幅を一対の端子１２０の幅以上とする構成とした。これにより、保護カバー１は、一対の端子１２０に取り付けたときに当該端子１２０から、Ｌ字状の切欠部１４ｂの曲折部が保護カバー１及び一対の端子１２０の相対的な移動を規制する。このように、保護カバー１は、簡単に電気機器１００から脱落することを防止できる構造とすることができる。
【００３６】
さらに、保護カバー１は、トムソン型で型抜き加工し、折り曲げ加工で折り曲げて、複数の面を係合させて箱状とする構成であることから、このような工程が可能であれば、保護カバー１を形成する材料は適宜設定できる。即ち、型抜き加工及び折り曲げ加工が可能、且つ、端子部１１１を保護できる材料は多種に渉ることから、保護カバー１に用いる材料は高い自由度を有し、設計が容易となる。
【００３７】
上述したように本発明の一実施形態に係る保護カバー１によれば、電気機器１００の端子部１１１を保護可能であって、容易、且つ、安価に製造することが可能となる。
【００３８】
なお、本発明は上記実施形態に限定されない。上述した例では、保護カバー１は、前壁１４の切欠部１４ｂに一対の端子１２０を配置する構成を説明したがこれに限定されない。即ち、保護カバー１は、端子部１１１を覆うことが可能であればよく、例えば、上述した一対の端子１２０と同様の一対の突起を有する電気機器１００の当該一対の突起を一対の切欠部１４ｂに配置する構成であってもよい。このような構成とするときは、保護カバー１は、端子部１１１を一対の前壁１４間に配置する構成であってもよく、また、端子部１１１を覆うためにさらに開口や切欠を前壁１４に有する構成であってもよい。
【００３９】
また、上述した例では、保護カバー１のブランク２は、トムソン型で型抜きする構成を説明したが、トムソン型と同程度の安価でブランク２を構成できればよく、例えば、レーザー加工によってブランク２を製造してもよい。
【００４０】
また、上述した例では、保護カバー１及びブランク２は、前壁１４を側壁１２と一体に構成し、そして、前壁１４の第２突起部１４ａを天壁１３の第１突起部１３ｂと係合させる構成を説明したがこれに限定されない。例えば、保護カバー１及びブランク２は、前壁１４を天壁１３と一体に構成し、そして、側壁１２に第１突起部を設け、前壁１４及び側壁１２の突起部同士を係合させる構成であってもよい。
【００４１】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４２】
１…保護カバー、２…ブランク、２ａ…圧痕、１１…背壁、１２…側壁、１３…天壁、１３ａ…切欠部、１３ｂ…第１突起部、１４…前壁、１４ａ…第２突起部、１４ｂ…切欠部、１００…電気機器、１１０…ケース、１１１…端子部、１２０…端子（突起）、１２０ａ…雄螺子部、１２０ｂ…雌螺子部、１３０…電気ケーブル。
【図１】
2019078583.tif 000003
【図２】
2019078583.tif 000004
【図３】
2019078583.tif 000005
【図４】
2019078583.tif 000006
【図５】
2019078583.tif 000007
【図６】
2019078583.tif 000008
【図７】
2019078583.tif 000009
【図８】
2019078583.tif 000010
【図９】
2019078583.tif 000011